(57)【要約】【課題】台座の光沢表面の領域内に宝石を配設し、かつ宝石を揺動自在とすることによって、宝石及び光沢面にてダイナミックな装飾効果を発揮し得るような装身具の構成を提供すること。【解決手段】台座２の光沢表面の領域内に宝石１を配設した装身具であって、宝石１は、最大幅を呈する領域１０の下側領域１２にて順次狭幅となる傾斜状、又は同一幅によって柱状を呈しており、台座２に装着されている支柱３から分岐し、かつ上端側に爪部４１を突設している各支持枠４が宝石１の下側領域１２を囲んだ状態にて下側から支持し、前記爪部４１によって宝石１の最大幅を呈する領域１０の上側領域１１を留着しており、各支持枠４が曲げ弾性を有し、かつ宝石１の下端面が当該表面に対し鋭角状態若しくは湾曲状態にて当接するか、又は当該表面から離れた状態とすることによって宝石１と共に揺動自在とすることに基づき、前記課題を解決している装身具。【選択図】図３
2020162793.tif 000002
【特許請求の範囲】
【請求項１】
台座における表面及び裏面のうち光沢を形成している表面の領域内に宝石を配設している装身具であって、宝石は、最大幅を呈する領域から下側領域にて順次狭幅となる傾斜状を形成しており、台座の裏面側から表面側に貫通した状態にて台座に装着されている支柱から分岐し、かつ上端側に爪部を内側に突設している各支持枠が宝石の前記下側領域の全領域又は一部領域を囲んだ状態にて下側から支持すると共に、前記爪部によって宝石の前記最大幅を呈する領域に対する上側領域を留着しており、各支持枠が曲げ弾性を有し、かつ宝石の下端面が鋭角状にて支柱の上端と当接することによって、各支持枠が宝石と共に揺動自在である装身具。
【請求項２】
台座における表面及び裏面のうち光沢を形成している表面の領域内に宝石を配設している装身具であって、宝石は、最大幅を呈する領域から下側領域にて同一幅による柱状を形成する下側に至る中途部位まで順次狭幅となる傾斜状を形成するか又は同一幅による柱状を形成しており、台座の裏面側から表面側に貫通した状態にて台座に装着されている支柱から分岐し、かつ上端側に爪部を内側に突設している各支持枠が宝石の前記下側に至る中途部位の全領域又は一部領域を囲んだ状態にて宝石の下側端を横方向突出部によって下側から支持すると共に、前記爪部によって宝石の前記最大幅を呈する領域に対する上側領域を留着しており、各支持枠が曲げ弾性を有し、かつ宝石の前記中途部位より下側領域が湾曲した状態にて支柱の上端と当接することによって、各支持枠が宝石と共に揺動自在である装身具。
【請求項３】
台座における表面及び裏面のうち光沢を形成している表面の領域内に宝石を配設している装身具であって、宝石は、最大幅を呈する領域から前記表面に至る下側領域にて同一幅による柱状を形成しており、台座の裏面側から表面側に貫通した状態にて台座に装着されている支柱から分岐し、かつ上端側に爪部を内側に突設している各支持枠が宝石の前記下側領域を囲んだ状態にて宝石の下側端を横方向突出部又は下方向に太い状態に変化する段差部によって下側から支持すると共に、前記爪部によって宝石の前記最大幅を呈する領域に対する上側領域を留着しており、各支持枠が曲げ弾性を有し、かつ宝石の下端面が前記表面から離れた状態を形成することによって、各支持枠が宝石と共に揺動自在である装身具。
【請求項４】
台座における表面及び裏面のうち光沢を形成している表面の領域内に宝石を配設している装身具であって、宝石は、最大幅を呈する領域から下側領域にて順次狭幅となる傾斜状を形成しており、台座の裏面側から表面側に貫通した状態にて台座に装着されている支柱から分岐し、かつ上端側に爪部を内側に突設している各支持枠が宝石の前記下側領域の全領域又は一部領域を囲んだ状態にて下側から支持すると共に、前記爪部によって宝石の前記最大幅を呈する領域に対する上側領域を留着しており、各支持枠が曲げ弾性を有し、かつ宝石の下端面が前記表面から離れた状態を形成することによって、各支持枠が宝石と共に揺動自在である装身具。
【請求項５】
台座が、金属、宝石、プラスチックの何れかを素材としていることを特徴とする請求項１、２、３、４の何れか一項に記載の装身具。
【請求項６】
光沢表面に乱反射に至らない程度の微小な凹凸表面を形成していることを特徴とする請求項１、２、３、４、５の何れか一項に記載の装身具。
【請求項７】
台座の表面にて規則的な起伏形状による装飾模様を付したことを特徴とする請求項１、２、３、４、５、６の何れか一項に記載の装身具。
【請求項８】
板状の台座の表面が、宝石から離れるにしたがって順次隆起するような湾曲状態を呈することを特徴とする請求項１、２、３、４、５、６、７の何れか一項に記載の装身具。
【請求項９】
宝石又はプラスチックを素材とする台座の全領域又は一部領域が透明状態であることを特徴とする請求項１、２、３、４、５、６、７、８の何れか一項に記載の装身具。
【請求項１０】
支柱が、台座に対し回動自在に結合していることを特徴とする請求項１、２、３、４、５、６、７、８、９の何れか一項に記載の装身具。
【請求項１１】
支持枠が、下側にて広幅であって、上側にて狭幅であるハート型を形成しており、かつ当該ハート型の上端領域が相互に分離していることを特徴とする請求項１、２、３、４、５、６、７、８、９、１０の何れか一項に記載の装身具。
【発明の詳細な説明】
【技術分野】
【０００１】
本発明は、表面及び裏面を有する台座のうち、光沢を形成している表面の領域内にて宝石と結合しており、かつ宝石が揺動自在である装身具を対象としている。
【背景技術】
【０００２】
表面と裏面とを有する台座に配設している宝石は、殆ど大抵の場合、最大幅を呈する領域の上側領域は順次盛り上がっている湾曲形状、又は所定の角度変化を伴う角型形状を呈する一方、当該最大幅を呈する領域から前記表面に至る下側領域は、順次狭幅となる傾斜状又は同一幅による柱状を形成している。
【０００３】
台座と結合している宝石において装飾効果を発揮しているのは、基本的に上側領域であるが、下側領域を含む宝石全体の装飾効果を発揮させるような構成は既に従来技術において採用されている。
【０００４】
例えば特許文献１においては、宝石３を装身具台２に固定している装身具１の構成において、装身具台２に宝石３の装飾体を反映するような鏡部６を設けることによって、宝石３が小さい場合であっても、宝石３の映像の模様によって装飾効果を助長することを開示している（実用新案登録請求の範囲、図１、２、３に基づく３頁〜４頁の実施例に関する説明）。
【０００５】
同様に、特許文献２においては、宝石４０を皿状部材１０に固定している身飾品１において、皿状部材１０の内側部を略鏡面状に形成することによって、皿状部材１０の内側からの準鏡面反射に基づき、宝石４０の皿状部材１０における変換された映像の模様による装飾効果を発揮している（請求項１、図１、及び段落［０００６］〜［００２０］の第一の考案及び第１の実施形態に関する説明部分、段落［０００６］以降の解決手段の項）。
【０００６】
しかしながら、特許文献１及び同２の構成においては、宝石は支持部材によって固定されており、支持部材と宝石とが一体となって揺動するような構成ではなく、揺動によるダイナミックな装飾効果を発揮することができない。
【０００７】
特許文献３においては、宝石５を窪みであるテーパ面１７に配置し、かつ抜け止め部材９によって、宝石５が凹みから抜けるのを防止する装身具において、宝石５が支持棒７の介在によって前記テーパ面１７内にて揺動自在とする構成を開示している（請求項１、図１、２、及び段落［００１６］〜［００３５］の実施形態に関する説明欄）。
【０００８】
同様に、特許文献４においては、宝石３を保持部材４内に保持し、宝石のリング状の連結部４Cを介して揺動自在に取り付けた構成を開示している（要約書）。
【０００９】
しかしながら、特許文献３、４においては、宝石全体及び、宝石を配置している部材の光沢面において宝石の映像の模様に基づく装飾効果を発揮するような構成を全く開示していない。
【００１０】
このように、従来技術においては、支持部材によって宝石を揺動自在に支持する一方、宝石と結合している台座における光沢面の形成によって、前記揺動によるダイナミックな装飾効果を発揮するような構成は、全く開示及び示唆されていない。
【先行技術文献】
【特許文献】
【００１１】
【特許文献１】実開昭６２−２０３６１４号公報のマイクロフィルム
【特許文献２】実用新案登録第３２０５９７７号公報
【特許文献３】特開２００９−１７１９９３号公報
【特許文献４】特開２００７−６１３５１号公報
【発明の概要】
【発明が解決しようとする課題】
【００１２】
本発明は、台座の光沢表面に宝石を配設している装身具において、宝石を揺動自在とすることによって、宝石及び光沢面にてダイナミックな装飾効果を発揮し得るような装身具の構成を提供することを課題としている。
【課題を解決するための手段】
【００１３】
本発明の基本構成は、
（１）台座における表面及び裏面のうち光沢を形成している表面の領域内に宝石を配設している装身具であって、宝石は、最大幅を呈する領域から下側領域にて順次狭幅となる傾斜状を形成しており、台座の裏面側から表面側に貫通した状態にて台座に装着されている支柱から分岐し、かつ上端側に爪部を内側に突設している各支持枠が宝石の前記下側領域の全領域又は一部領域を囲んだ状態にて下側から支持すると共に、前記爪部によって宝石の前記最大幅を呈する領域に対する上側領域を留着しており、各支持枠が曲げ弾性を有し、かつ宝石の下端面が鋭角状にて支柱の上端と当接することによって、各支持枠が宝石と共に揺動自在である装身具、
（２）台座における表面及び裏面のうち光沢を形成している表面の領域内に宝石を配設している装身具であって、宝石は、最大幅を呈する領域から下側領域にて同一幅による柱状を形成する下側に至る中途部位まで順次狭幅となる傾斜状を形成するか又は同一幅による柱状を形成しており、台座の裏面側から表面側に貫通した状態にて台座に装着されている支柱から分岐し、かつ上端側に爪部を内側に突設している各支持枠が宝石の前記下側に至る中途部位の全領域又は一部領域を囲んだ状態にて宝石の下側端を横方向突出部によって下側から支持すると共に、前記爪部によって宝石の前記最大幅を呈する領域に対する上側領域を留着しており、各支持枠が曲げ弾性を有し、かつ宝石の前記中途部位より下側領域が湾曲した状態にて支柱の上端と当接することによって、各支持枠が宝石と共に揺動自在である装身具、
（３）台座における表面及び裏面のうち光沢を形成している表面の領域内に宝石を配設している装身具であって、宝石は、最大幅を呈する領域から前記表面に至る下側領域にて同一幅による柱状を形成しており、台座の裏面側から表面側に貫通した状態にて台座に装着されている支柱から分岐し、かつ上端側に爪部を内側に突設している各支持枠が宝石の前記下側領域を囲んだ状態にて宝石の下側端を横方向突出部又は下方向に太い状態に変化する段差部によって下側から支持すると共に、前記爪部によって宝石の前記最大幅を呈する領域に対する上側領域を留着しており、各支持枠が曲げ弾性を有し、かつ宝石の下端面が前記表面から離れた状態を形成することによって、各支持枠が宝石と共に揺動自在である装身具、
（４）台座における表面及び裏面のうち光沢を形成している表面の領域内に宝石を配設している装身具であって、宝石は、最大幅を呈する領域から下側領域にて順次狭幅となる傾斜状を形成しており、台座の裏面側から表面側に貫通した状態にて台座に装着されている支柱から分岐し、かつ上端側に爪部を内側に突設している各支持枠が宝石の前記下側領域の全領域又は一部領域を囲んだ状態にて下側から支持すると共に、前記爪部によって宝石の前記最大幅を呈する領域に対する上側領域を留着しており、各支持枠が曲げ弾性を有し、かつ宝石の下端面が前記表面から離れた状態を形成することによって、各支持枠が宝石と共に揺動自在である装身具、
からなる。
【発明の効果】
【００１４】
基本構成（１）、（２）、（３）、（４）においては、台座の光沢表面の領域内にて宝石を配設する一方、宝石の下側領域を囲む各支持枠が曲げ弾性を有することによって、宝石と共に揺動自在であることによって、宝石自体の揺動によるダイナミックな装飾効果を享受するだけでなく、光沢表面における宝石からの入射光の再反射によって光沢表面におけるダイナミックな映像の模様を享受することができる。
【００１５】
特に、再反射の位置が宝石の位置から遠くなるにしたがって、ダイナミックな動きも大きくなり、前記映像の模様による効果は顕著である。
【００１６】
後述するように、各支持枠及び宝石の台座の表面方向における揺動方向は不特定であって、特定の方向に限定される訳ではない。
【００１７】
尚、上記の「模様」とは、表面形状に現われる線図、色分け、又はぼかしという意匠上の概念に立脚している。
【図面の簡単な説明】
【００１８】
【図１】基本構成（１）を示しており、（ａ）は、側断面図であり、（ｂ）は、上方からの平面図であり、かつ点線部分は宝石の下端及びその近傍の位置における支柱及び支持枠の配置状態を示す。  尚、（ａ）は、支持枠が下側の全領域を囲んだ状態にて下側から支持している場合を示す。
【図２】基本構成（２）を示しており、（ａ）は、下側の中途部位に至る領域が傾斜状である場合の断面図であり、（ｂ）は、中途部位に至る領域が柱状態である場合の側断面図であり、（ｃ）は、上方からの平面図であり、かつ点線部分は宝石の下端及びその近傍の位置における支柱及び支持枠の配置状態を示す。  尚、（ａ）は、各支持枠が中途部位に至る領域の一部を下方から支えた場合を示しており、（ｂ）は、各支持枠が中途部位に至る全領域を囲んだ状態にて支持する場合を示す。
【図３】基本構成（３）を示しており、（ａ）は、宝石の下側端を支持枠の横方向突出部によって下側から支持する状態を示す側断面図であり、（ｂ）は、各支持枠が下方向に太い状態に変化する段差によって支持した状態を示す側断面図である。
【図４】基本構成（４）を示す側断面図である。  尚、図４においては、各支持枠が宝石の下側領域の全領域を下側から支持した状態を示す。
【図５】台座の宝石を囲む表面にて規則的な起伏形状による装飾模様を付した実施形態を示しており、（ａ）は、平面図であり、（ｂ）は、側面図である。  尚、図５は、基本構成（１）を採用した場合を示す。
【図６】板状の台座を採用した上で、戴置している宝石から離れるにしたがって表面が順次隆起するような湾曲形状を呈する実施形態を示す断面図である。  尚、図６は、基本構成（２）を採用した場合を示す。
【図７】支柱が、台座に対し回動自在としている実施形態を示す側断面図であって、（ａ）は、台座の裏面側及び表面側に支柱と嵌合する座金（ワッシャー）を備えた場合を示しており、（ｂ）は、当該座金を備えていない場合を示している。  尚、図７は、基本構成（３）を採用した場合を示す。
【図８】実施例を示しており、支柱の方向に沿った側断面図である。  尚、図８は、基本構成（４）を採用した場合を示す。
【発明を実施するための形態】
【００１９】
基本構成（１）、（２）、（３）、（４）においては、図１（ａ）、（ｂ）、図２（ａ）、（ｂ）、（ｃ）、図３（ａ）、（ｂ）、図４に示すように、台座２において、光沢を形成している表面の内側領域にて、宝石１を配設している。
【００２０】
基本構成（１）は、図１（ａ）、（ｂ）に示すように、宝石１が最大幅を呈する領域から下側領域１２にて順次狭幅となる傾斜状を形成しており、かつ宝石１の下側端１３が鋭角状態にて支柱３の上端に当接すること、及び基本構成（２）は、図２（ａ）、（ｂ）に示すように、宝石１が最大幅を呈する領域から下側領域１２にて同一幅による柱状を形成する下側に至る中途部位まで順次狭幅となる傾斜状を形成するか、又は同一幅による柱状を形成しており、かつ宝石１の前記中途部位における領域よりも下側の領域において、湾曲状態にて支柱３の上端に当接しているのが、このような鋭角状態又は湾曲状態による当接は、曲げ弾性を有している支持枠４と共に揺動自在の状態を実現することを目的としている。
【００２１】
基本構成（１）において、各支持枠４の宝石１の下側領域１２に対する支持については、全領域又は一部領域の選択が可能であるが、当該選択は、宝石１の具体的な大きさ、又は傾斜の程度に即して適宜決定することができる。
【００２２】
同様に、基本構成（２）において、各支持枠４の宝石１の下側領域１２のうち下側に至る中途部位に対する支持については、全領域及び一部領域の何れも選択が可能であるが、当該選択は、宝石１の大きさ及び具体的形状に即して適宜決定することができる。
【００２３】
基本構成（３）及び（４）においては、宝石１の下端面が光沢表面から離れた状態を形成しているが、このような離れた状態は、曲げ弾性を有する各支持枠と共に揺動自在の状態を実現することを目的としている。
【００２４】
即ち、基本構成（３）及び（４）の場合には、下端面が必ずしも基本構成（１）の場合のような鋭角状態及び基本構成（２）のような湾曲状態を呈していないため、表面と当接した場合には、前記のような揺動自在状態を実現できないことを根拠としている。
【００２５】
そして、宝石１の下端と台座２の表面との距離は、宝石１の揺動状態によって左右され、ひいては、各支持枠４の曲げ弾性の程度によって左右されることに帰する。
【００２６】
基本構成（３）の場合に、宝石１の下側領域１２が柱状である場合には、下端面を横方向突出部４２又は下方向に太い状態に変化する段差４２によって下側から支持しているが、前記突出部４２又は前記段差４２の何れも選択可能であって、当該選択は、宝石１の大きさ及び形状に即して適宜決定することができる。
【００２７】
基本構成（４）においては、各支持枠４の傾斜状態を呈している宝石１の下側領域に対する支持についても全領域又は一部領域の選択が可能であるが、当該選択は、宝石１の大きさ及び形状に即して適宜決定することができる。
【００２８】
基本構成（１）、（２）、（３）、（４）において、各支持枠４と宝石１の揺動は、装身具に対して作用する外力のうち、台座２の表面方向の成分を原因としているが、外力の表面方向の成分の方向は不特定である以上、各支持枠４及び宝石１の揺動方向もまた不特定であって、特定の方向に限定される訳ではない。
【００２９】
その結果、各支持枠４は、自らの周囲にて全方向に揺動し得ることを必要不可欠とするが、曲げ弾性を有する支持枠４は、当然全方向に対する揺動を実現することができる。
【００３０】
基本構成（１）、（２）、（３）、（４）の何れにおいても、各支持枠４は台座２の裏面側から表面側に貫通した状態にて台座２に装着されている支柱３から分岐した上で、宝石１の下側領域１２を囲んだ上で上端における爪部４１によって宝石１の前記最大幅を呈する領域１０に対する上側領域１１を留着している。
【００３１】
基本構成（１）、（２）、（３）、（４）における光沢表面を有する台座２の素材としては、金属、特に光沢を発揮しやすい貴金属、水晶を含む宝石、更には表面を研磨によって平滑化したプラスチック、特に近年新たな素材として開発されている金属光沢を発揮し得るプラスチックを採用することができる。
【００３２】
基本構成（１）、（２）、（３）、（４）における表面の光沢については、表面が乱反射を呈さずに輝いた状態を指しており、鏡面反射のように、全反射光が同一方向を呈する必要はない。
【００３３】
即ち、表面に乱反射に至らない程度の微小な凹凸を加えることによって、輝いた状態に曇りを伴うような鏡面反射と相違する光沢状態も当然採用可能である。
【００３４】
このように、曇りを伴っている光沢状態の場合には、宝石１からの反射光に対する曇りを伴った再反射において、宝石１の映像をマイルドな映像に変換させるという効果を発揮することができる。
【００３５】
したがって、使用者は、宝石１自体の明瞭な映像と曇りを伴う再反射に基づくマイルドな映像とのコントラストを享受することができる。
【００３６】
前記支持枠４は、保持している下側領域１２における宝石１としての色彩及び光沢を部分的に遮蔽しているが、支持枠４自体に特徴ある形状を付することによって、このような遮蔽を介した装飾効果を発揮し得ることは、実施例において後述する通りである。
【００３７】
図５（ａ）、（ｂ）は、基本構成（１）、（２）、（３）、（４）において、台座２の宝石１を囲む表面にて規則的な起伏形状による装飾模様２１を付したことを特徴とする実施形態を示す。
【００３８】
このような起伏形状による装飾模様２１を規則的に台座２の表面に付することによって、表面の内側領域にて結合している宝石１とのコントラストによって、装飾効果を助長するだけでなく、各支持枠４と宝石１とが一体を成して揺動した場合には、装飾模様２１の起伏形状からの再反射によって、宝石１の立体的な映像による装飾効果を享受することができる。
【００３９】
前記起伏形状による装飾模様２１として、表面の領域内にて配設されている宝石１以外に、同一の素材又は異なる素材による宝石を周囲に配列しても実現することができる。
【００４０】
図１、２、３，４、５に示すように、台座２としては、板状であって、しかも平面形状を採用する場合が多い。
【００４１】
然るに、板状の台座２は決して、平面形状に限定される訳ではない。
【００４２】
図６に示すように、板状の台座２の表面が、宝石１から離れるにしたがって順次隆起するような湾曲状態を呈することを特徴とする実施形態を採用した場合には、宝石１の下側領域１２からの反射光に対する再反射と、隆起した湾曲面における更なる反射によって、重厚な装飾効果を発揮することができ、かつこのような装飾効果の発揮は、各支持枠４と宝石１とが一体を成して揺動する場合においても変わりはない。
【００４３】
基本構成（１）、（２）、（３）、（４）において、台座２の表面方向の形状については、図１（ｂ）に示すような矩形又は図２（ｃ）に示すような円形を採用する場合が多いが、当該形状は決して、矩形又は円形に限定される訳ではない。
【００４４】
例えば、楕円形、多角形、星形、ハート型形、円輪形の何れをも採用することができる。
【００４５】
基本構成（１）、（２）、（３）、（４）においては、台座２の表面に模様、即ち線図、色分け、又はぼかし領域を設けることによって、装飾効果を更に助長することができる。
【００４６】
但し、前記のように表面に付した模様については、光沢面に対する再反射によって形成される模様との調和を配慮することが好ましい。
【００４７】
基本構成（１）、（２）、（３）、（４）においては、台座２の素材として、宝石又はプラスチックを選択した上で、台座２の全領域又は一部領域を透明状態とすることができる。
【００４８】
このような透明状態の形成によって、光沢面への再反射による模様が、表面から裏面に至るような立体的な印象を与え、装飾効果を助長することができる。
【００４９】
しかも、一部領域を透明状態とした場合に、透明状態につき所定の形状を選択した場合には、当該形状自体による装飾効果を享受することもでき、かつこのような装飾効果の発揮は、各支持枠４と宝石１とが一体を成して揺動する場合においても変わりはない。
【００５０】
図７（ａ）、（ｂ）は、基本構成（１）、（２）、（３）、（４）において、台座２を貫通している支柱３が、台座２に回動自在に結合していることを特徴とする実施形態を示す。
【００５１】
通常、支柱３は、装着穴２２を貫通した上で、台座２の裏側面にて備えている突設端部３１をレーザー溶接によって、当該裏側面に固着された状態にて装着されている場合が多い。
【００５２】
これに対し、前記実施形態の場合には、支柱３の径を装着穴２２の径よりも稍小さく設定した上で、前記突設端部３１を前記裏側面に対し固着せずに係合することによって、前記回動自在状態を実現している。
【００５３】
図７（ａ）は、台座２の表面側及び裏面側に、支柱３と嵌合する座金（ワッシャー）を備えた場合を示しており、図７（ｂ）は、当該座金を備えていない場合を示す。
【００５４】
このような実施形態においては、台座２に保持された宝石１が、外部からの影響によって回動し、台座２の光沢表面に反映している下側領域１２の形状及び色彩に基づく模様のダイナミックな装飾効果を発揮することができ、かつこのような装飾効果の発揮は、各支持枠４と宝石１とが一体を成して揺動する場合においても変わりはない。
【００５５】
特に、宝石１の下側領域１２が、所定の角錐、又は角錐台形状、又は角柱の場合には、下側領域１２における反射光の方向が変化し、上記ダイナミックな装飾効果を一層助長することができる。
【００５６】
以下、実施例に従って、説明する。
【実施例】
【００５７】
実施例は、基本構成（１）、（２）、（３）、（４）において図８に示すように、支持枠４が、下側にて広幅であって、上側にて狭幅であるハート形を形成しており、かつ当該ハート形の上端が相互に分離されていることを特徴としている。
【００５８】
このようなハート側の支持枠４の採用によって、実施例１においては、支持枠４自体による装飾効果、更には、前記ハート型による台座２の面に反映した模様に基づく装飾効果を発揮することが可能となる。
【００５９】
尚、ハート形の上端を相互に分離された状態とするのは、分離しない場合には、各支持枠４におけるハート形の両方向に沿った揺動が困難となり、ひいては各支持枠４と宝石１と一体を成す揺動に支障が生ずることを根拠としている。
【産業上の利用可能性】
【００６０】
このように、基本構成（１）、（２）、（３）、（４）に立脚している本発明においては、宝石自体及び台座の光沢表面に宝石の映像を反映させた模様がダイナミックに揺動することによって、従来技術の場合と異質の装飾効果を発揮しており、その利用範囲は極めて広範である。
【符号の説明】
【００６１】
１    宝石
１０  宝石のうち最大幅を示す領域
１１  宝石の上側領域
１２  宝石の下側領域
１３  宝石の下側端
２    台座
２１  起伏形状による装飾模様
２２  装着穴
３    支柱
３１  突設端部
４    支持枠
４１  支持枠の爪部
４２  支持枠の横方向突出部及び支持枠の下方向に太い状態に変化する段差部
【図１】
2020162793.tif 000003
【図２】
2020162793.tif 000004
【図３】
2020162793.tif 000005
【図４】
2020162793.tif 000006
【図５】
2020162793.tif 000007
【図６】
2020162793.tif 000008
【図７】
2020162793.tif 000009
【図８】
2020162793.tif 000010